(57)【要約】  ラック型電源装置は、複数の電池パック（２）と、複数の電池パックが並んだ状態で収納されるラック（１１）と、ラック（１１）への電池パック（２）の挿入方向奥側でラックに固定され、複数の電池パック（２）の端子部（７）が電気的に接続される複数のコネクタ（５０）が設置されたコネクタプレート（４１）とを備える。コネクタプレート（４１）は、ラック（１１）の一方側壁を構成する側壁部（４１ａ）と、側壁部（４１ａ）に対して段差が形成されるようにラック（１１）の内側に奥まった位置に配置され、複数のコネクタ（５０）がラック（１１）に収納される電池パック（２）に対応して並んで設置されているコネクタ設置壁部（４１ｂ）とを含む。
2018123577.tif 000002
【特許請求の範囲】
【請求項１】
複数の電池パックと、
前記複数の電池パックが並んだ状態で収納されるラックと、
前記ラックに固定され、前記複数の電池パックの端子部が電気的に接続される複数のコネクタが設置されたコネクタプレートと、を備え、
前記コネクタプレートは、前記ラックの一方側壁を構成する側壁部と、前記側壁部に対して段差が形成されるように前記ラックの内側に奥まった位置に配置され、前記複数のコネクタが前記ラックに収納される前記電池パックに対応して並んで設置されているコネクタ設置壁部と、を含む、ラック型電源装置。
【請求項２】
請求項１に記載のラック型電源装置において、
前記コネクタは、前記コネクタ設置壁部の面方向の位置が調整可能に設置されている、ラック型電源装置。
【請求項３】
請求項２に記載のラック型電源装置において、
前記コネクタは、前記電池パックの端子部に対して前記コネクタを位置合わせするためのガイド部を有する、ラック型電源装置。
【請求項４】
請求項１〜３のいずれか一項に記載のラック型電源装置において、
前記段差によって形成されるダクト空間に対向してファンが設置され、前記コネクタ設置壁部には前記ダクト空間と前記各電池パック間の冷却媒体流路とを連通させる開口部が形成されている、ラック型電源装置。
【請求項５】
請求項４に記載のラック型電源装置において、
前記コネクタプレートは前記側壁部と前記コネクタ設置壁部との間に段差が形成されるように両壁部を接続する接続壁部を含み、前記接続壁部には、前記ダクト空間と前記冷却媒体流路とを連通される別の開口部が形成されている、ラック型電源装置。
【請求項６】
請求項１〜５のいずれか一項に記載のラック型電源装置において、
前記電池パックは、平面視で矩形状をなし、該矩形状の１つの角部に前記コネクタ設置壁部と前記段差を形成する中間壁部との干渉を避けるための切欠き部を有し、前記電池パックの動作を制御する制御回路部が前記電池パック内において前記切欠き部が形成されていない側の別の角部に近接して収納されている、ラック型電源装置。
【発明の詳細な説明】
【技術分野】
【０００１】
本発明は、複数の電池パックがラックに収納されて構成されるラック型電源装置に関する。
【背景技術】
【０００２】
従来、下記特許文献１には、複数の単電池を組み合わせてそれぞれ構成される複数の電池パックがラックに区画形成された収納空間にそれぞれ収納されている電源装置が記載されている。この蓄電装置では、各収納空間に電池パックを挿入して収納すると、電池パックの背面に配置された出力端子が、収納空間の奥側に設置された入力端子に挿入される。これにより、ラックに収納された複数の電池パックが、ラックの背面側において入力端子間に接続された接続リードによって、互いに直列または並列に接続される。
【先行技術文献】
【特許文献】
【０００３】
【特許文献１】国際公開ＷＯ２０１２／１３２１３４号公報
【発明の概要】
【発明が解決しようとする課題】
【０００４】
ところで、複数の電池パックをラックに収納してなるラック型の電源装置において、ラックに背面板を設置し、この背面板に各電池パックにそれぞれ接続される複数のコネクタを設置することが考えられる。この場合、各コネクタが背面板から突出して設けられると、コネクタの突出量を含むラック型電源装置の寸法が長くなって設置スペースが大きくなる。【０００５】
他方、コネクタ端子が設置された背面板をラック内側に奥まって配置した場合には、ラック外側へのコネクタ端子が突出することはないが、ラック内における電池パックの収納空間が狭くなってしまう。【０００６】
本開示の目的は、各電池パックに接続されるコネクタ端子および各コネクタに接続されるケーブルを配置するスペースをラック内に確保しながら、ラック内の電池パック収納空間をできるだけ広く確保することができるラック型電源装置を提供することにある。
【課題を解決するための手段】
【０００７】
本開示に係るラック型電源装置は、複数の電池パックと、複数の電池パックが並んだ状態で収納されるラックと、ラックへの電池パックの挿入方向奥側でラックに固定され、複数の電池パックの端子部が電気的に接続される複数のコネクタが設置されたコネクタプレートとを備え、コネクタプレートは、ラックの一方側壁を構成する側壁部と、側壁部に対して段差が形成されるようにラックの内側に奥まった位置に配置され、複数のコネクタがラックに収納される電池パックに対応して並んで設置されているコネクタ設置壁部とを含む。
【発明の効果】
【０００８】
本開示に係るラック型電源装置によれば、各電池パックに接続されるコネクタおよび各電池パック間を接続するケーブルを配置するスペースをラック内に確保しながら、ラック内の電池パック収納空間をできるだけ広く確保することができる。
【図面の簡単な説明】
【０００９】
【図１】本開示の一実施形態であるラック型電源装置を前方側から見た斜視図である。
【図２】ラック型電源装置を後方側から見た斜視図である。
【図３】ラック型電源装置の部分正面図である。
【図４】ラックに収納された１つの電池パックを示す上面図である。
【図５】ラックに固定されるコネクタプレートの斜視図である。
【図６】（ａ）はコネクタプレートに取り付けられたコネクタを前方側から見た拡大斜視図、（ｂ）はコネクタの取付部の拡大正面図、（ｃ）は（ｂ）における矢印Ａ方向から見た側面図である。
【図７】（ａ），（ｂ）は電池パックがラックに挿入されて電池パックの端子部がコネクタに接続される様子を示す図である。
【図８】ファンの作動によってラック型電源装置に冷却空気が流れる様子を示す、図４と同様の平面図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
以下においては、図１等において水平面上の一方向を示す矢印Ｘ方向を「幅方向」といい、矢印Ｘ方向と直交する水平面上の矢印Ｙ方向を「長さ方向」といい、矢印ＸおよびＹと直交する矢印Ｚ方向を「上下方向」という。また、長さ方向Ｙに関し、一方側を「前」、他方側を「後」という。
【００１２】
図１は、本開示の一実施形態であるラック型電源装置（以下、適宜に「電源装置」という）１０を前方側から見た斜視図である。図２は、電源装置１０を後方側から見た斜視図である。また、図３は、電源装置１０の部分正面図である。
【００１３】
図１に示すように、電源装置１０は、ラック１１に複数の電池パック２を収納して構成される。本実施形態では、ラック１１に例えば２０個の電池パック２を所定の間隔で上下方向に並べて収納する例が示されている。もっとも、１つのラック１１に収納する電池パック２の数は、これに限定されるものではなく、各電池パック２の外形寸法や電源装置１０の定格容量などに応じて、適宜に変更され得るものである。
【００１４】
図１および図２に示すように、ラック１１は、底部枠１２と、天井枠１４と、４本の支柱１６，１８，２０，２２とを有する。ラック１１には、例えば１９インチラック等の標準的なラックを用いることができる。ラック１１は、重量がある電池パック２を多数収納した場合でも耐えうる強度を有することが好ましく、例えばスチール製のものが好適に用いられる。
【００１５】
底部枠１２および天井枠１４はいずれも長方形状フレームとして形成されている。底部枠１２は、４本の底部フレームをボルト等の締結部材で長方形状に連結することによって構成されてもよいし、あるいは、予め一体形成されていてもよい。また、底部枠１２の中央部には、補強フレーム１３が幅方向に沿って配置されている。補強フレーム１３の両端は、ボルト等の締結部材によって底部枠１２に連結されている。
【００１６】
本実施形態において、天井枠１４は、底部枠１２と同様に、４本の底部フレームをねじ又はボルト等の締結部材で長方形状に連結することによって構成されてもよいし、あるいは、予め一体形成されていてもよい。なお、本実施形態では、天井枠１４が天井板を含まない形態である例を示すが、これに限定されるものではなく、埃等の堆積を低減するために天井枠１４の上面を閉じる天井板が別部材で又は一体に設けられてもよい。また、天井枠１４についても、底部枠１２と同様に、中央に補強フレームを架設して、フレーム構造体の強度を高めてもよい。
【００１７】
４本の支柱１６，１８，２０，２２は、底部枠１２および天井枠１４の四隅のコーナー部に立設されている。各支柱１６，１８，２０，２２は、上下方向に沿って延伸する長尺状の部材であり、例えば断面形状がＬ字状やコの字状のアングル部材が用いられる。また、各支柱１６，１８，２０，２２の下端および上端は、例えばねじ又はボルト等の締結部材によって底部枠１２および天井枠１４にそれぞれ締結されている。これにより、底部枠１２、天井枠１４および４本の支柱１６，１８，２０，２２は、縦長直方体の１２辺に対応するフレーム部分を含むフレーム構造体を構成している。
【００１８】
４本の支柱のうち前方に位置する２本の支柱１６，２０には、多数の取付穴２６が上下方向に沿って所定ピッチで形成されている。また、ラック１１において後方に位置する２本の支柱１８，２２にも、多数の取付穴２８が上下方向に沿って所定ピッチで形成されている。以下において、ラック１１の２本の支柱１６，２０を前方支柱といい、他の２本の支柱１８，２２を後方支柱ということがある。
【００１９】
ラック１１には、サイドパネル３０が取り付けられている。サイドパネル３０は、幅方向Ｘの一方側の側面において、前端部が前方支柱１６の取付穴２６に図示しないねじ等によって固定され、後端部が後方支柱１８の取付穴２８に図示しないねじ等によって固定されている。また、ラック１１の幅方向Ｘの他方側の側面にも同様に、サイドパネル３０が固定されている（図４参照）。
【００２０】
本実施形態では、ラック１１の幅方向両側に、各４つのサイドパネル３０がそれぞれ取り付けられた例が示される。各サイドパネル３０は、例えば金属板によって形成されており、ラック１１の幅方向内側へ突出するように水平方向に沿って折り曲げ形成された支持部３２を有している。各サイドパネル３０には、例えば５つの支持部３２がそれぞれ形成されている。
【００２１】
ラック１１の幅方向両側に取り付けられたサイドパネル３０の支持部３２は、同じ高さ位置に支持部３２が突出するように配置されている。これにより、ラック１１の前方側から電池パック２を幅方向両側にある２つの支持部３２上に載置して押し込むと、扁平直方体状をなす電池パック２がラック１１内に収納される。このようにして、ラック１１には、サイドパネル３０の支持部３２の数に対応する２０個の電池パック２を上下方向に並んだ状態で収納することができる。
【００２２】
このように本実施形態におけるラック１１は、金属板によって形成されたサイドパネル３０が前方支柱１６，２０と後方支柱１８，２２との間に架設されているので、ラック１１の構造的強度が向上し、重量がある電池パック２を上下方向に多数収納することが可能になる。
【００２３】
図３に示すように、電池パック２の前方側面の幅方向両側には、固定部３４が溶接等によって取り付けられている。ラック１１に収納された電池パック２は、固定部３４の貫通孔にねじ３６を挿通して、サイドパネル３０に形成されている雌ねじ孔に締め付けることによってラック１１に固定される。
【００２４】
また、ラック１１に収納および固定された各電池パック２の間には、ラック１１の前面側に開口する隙間３８が形成されている。この隙間３８の幅方向両側は、サイドパネル３０を構成する金属板によって塞がれるのが好適である。この隙間３８は、後述するファンの作動によってラック１１の前面側から吸引された空気が流れる冷却媒体流路として機能する。
【００２５】
再び図１および図２を参照すると、ラック１１の後面には、コネクタプレート４１およびファンプレート４２が取り付けられている。コネクタプレート４１は、ラック１１への電池パック２の挿入方向奥側でラック１１に固定され、ファンプレート４２コネクタプレート４１に固定されている。コネクタプレート４１の一部とファンプレート４２とは、ラック１１を含む電源装置１０の後方側壁面（一方側壁）をなす背面板４０を構成している。本実施形態では、コネクタプレート４１の一部がファンプレート４２よりも幅広に形成されて、背面板４０においてより大きい面積を占めている。
【００２６】
コネクタプレート４１およびファンプレート４２は、上下方向においてそれぞれ複数に分割されていることが好ましい。本実施形態では、コネクタプレート４１およびファンプレート４２は、サイドパネル３０に対応してそれぞれ４つに分割されている例が示される。このように分割されていることで、ラック１１にコネクタプレート４１およびファンプレート４２を取り付ける作業が容易になる利点がある。ただし、これに限定されず、上下方向に細長い各１枚のコネクタプレート４１およびファンプレート４２を用いてもよい。
【００２７】
４つに分割されたファンプレート４２には、各２個のファン４４が上下方向に間隔をおいて設置されている。ファンプレート４２は、後述するようにコネクタプレート４１によって形成されるダクト空間４６に対向して設置されている。このダクト空間４６は、各電池パック２間に形成される隙間３８を通って電源装置１０内を流れる空気が通る通路として機能する。なお、電源装置１０における冷却動作については図８を参照して後述する。
【００２８】
図４は、ラック１１に収納された１つの電池パック２を示す上面図である。図４に示すように、電池パック２は、上面が前後方向に長い略長方形状をなすケース３を備える。ケース３は、図１〜図３に示すように扁平形状に形成されている。また、ケース３は、例えば、金属製または樹脂製の筐体によって構成される。
【００２９】
ケース３内には、電池ブロック４が収容されている。本実施形態では、電池ブロック４は、複数の電池ブロックによって構成されてもよい。図示しないが、電池ブロック４には、複数の単電池が例えば金属製または樹脂製のホルダによって整列した状態で保持されている。本実施形態では、電池ブロック４に含まれる単電池は、互いに並列接続されている。単電池には、例えば円筒型のリチウムイオン電池等の二次電池が好適に用いられる。ただし、単電池は、円筒型の二次電池に限定されるものではなく、角形の二次電池であってもよい。
【００３０】
ケース３には、切欠き部５が形成されている。切欠き部５は、略扁平直方体状をケース３の長さ方向Ｙの後方側の一方角部に形成されている。切欠き部５は、平面視で略長方形状に切り欠かれて形成されている。切欠き部５の形状は、長方形状以外の例えば台形状等であってもよい。切欠き部５は、後述するコネクタプレート４１のコネクタ設置壁部４１ｂおよび中間壁部４１ｃとの干渉を避けるために形成されている。
【００３１】
切欠き部５において電源装置１０の後方側に面した側壁面には、凹部６が開口して形成されている。この凹部６には、電池パック２内の電池ブロック４に含まれる各単電池との電気的接続を取るための端子部７が設けられている。本実施形態では、この端子部７は、凹部６の奥壁面から突出した雄型のコネクタによって構成されている（図７（ａ），（ｂ）参照）。
【００３２】
電池パック２の端子部７には、雌型のコネクタ５０が接続されている。詳しくは後述するが、コネクタ５０は、ラック１１の背面板４０を構成するコネクタプレート４１のコネクタ設置壁部４１ｂに取り付けられている。
【００３３】
コネクタ５０からは、ケーブル９が延出している。ケーブル９は、電力入出力用の電力ケーブルと、電池パック２のケース３内に設置された電圧センサ、電流センサおよび温度センサ（いずれも図示せず）の各検出信号を出力する信号ケーブルが含まれる。ケーブル９は、隣接する電池パック２間で電気的、例えば直列に接続され、ダクト空間４６内を上方に配索されて後述するコントローラに接続されている。電池パック２間におけるケーブル９の接続は、各電池パック２に対応するコネクタ５０にケーブル９の各端部が接続されることにより行われている。
【００３４】
電池パック２のケース３内には、制御回路部２ａが収納されている。制御回路部２ａは、当該電池パック２の入出力電力の制御や電池状態を監視する等の機能を有する。制御回路部２ａは、ケース３内において、長さ方向Ｙの後方側端部であって切欠き部５が形成されていない他方の角部側に配置されている。このように切欠き部５を避けた位置に制御回路部２ａを配置してケース３内の空間を有効利用することで、電力密度を低下させることなく電池パック２の小型化を図れる。
【００３５】
図１および図２を再び参照すると、電源装置１０の上部には、コントローラ４８が設置されている。コントローラ４８は、ラック１１において最上部に収納されている電池パック２の上面に設置することができる。或いは、コントローラ４８は、設置板を最上部の電池パック２の上方に設けてその上に設置されてもよい。
【００３６】
コントローラ４８には、ダクト空間４６の上方開口部から延出するケーブル９が接続されている。これにより、コントローラ４８は、電源装置１０に含まれる各電池パック２について電力の入出力制御を行うことができる。また、コントローラ４８は、各電池パック２からケーブル９を介して送信される電圧、電流、温度等の検出信号に基づいて、各電池パック２の状態を監視することができる。
【００３７】
次に、図４に加えて図５を参照して、本実施形態におけるコネクタプレート４１について詳細に説明する。図５は、ラック１１に固定されるコネクタプレート４１の斜視図である。図５におけるコネクタプレート４１は、電源装置１０の後方側から見た状態で示されている。
【００３８】
図４および図５に示すように、コネクタプレート４１は、ラック１１の背面板４０（図２参照）を構成する側壁部４１ａと、側壁部４１ａに対して段差が形成されるようにラック１１の内側に奥まった位置に配置されたコネクタ設置壁部４１ｂとを有する。コネクタ設置壁部４１ｂには、複数のコネクタ５０が、ラック１１に収納される電池パック２に対応して並んで設置されている。
【００３９】
本実施形態では、コネクタプレート４１は、一枚の金属板を曲げ加工および打ち抜き加工することによって形成されている。具体的には、コネクタプレート４１は、側壁部４１ａから略直角に曲げ加工されて長さ方向Ｙに沿った壁面を有する中間壁部４１ｃを有する。また、コネクタ設置壁部４１ｂは、中間壁部４１ｃに対して略垂直に曲げ加工されて、幅方向Ｘに沿った壁面を有して形成されている。このようにしてコネクタプレート４１は、中間壁部４１ｃによって側壁部４１ａとコネクタ設置壁部４１ｂとが段差のある状態で一体に構成されている。
【００４０】
コネクタプレート４１のコネクタ設置壁部４１ｂには、各電池パック２に対応して、複数の横長矩形状の開口部５２が打抜き加工によって形成されている。そして、各開口部５２内にコネクタ５０がそれぞれ配置されている。開口部５２の上下方向の寸法は、コネクタ５０よりも大きく形成されている。そのため、コネクタ５０の上下には、開口部５２の縁部との間に空間５３が形成されている。これらの空間５３は、電源装置１０の後部において、ラック１１に収納された各電池パック２間の隙間３８に連通している。
【００４１】
また、コネクタプレート４１の中間壁部４１ｃには、複数の縦長矩形状の別の開口部５４が上下方向に並んで形成されている。これらの開口部５４は、図４に示すように、電源装置１０の後部において、ラック１１に収納された各電池パック２間の隙間３８に連通している。
【００４２】
さらに、コネクタプレート４１は、図５に示すように、コネクタ設置壁部４１ｂから略垂直に曲げ加工されて形成された取付壁部４１ｄと、この取付壁部４１ｄの端縁部を曲げ加工して形成された取付部４１ｅとを一体に有する。本実施形態では、取付壁部４１ｄは中間壁部４１ｃと平行に対向して形成され、取付部４１ｅは側壁部４１ａと同一平面となるように形成されている。
【００４３】
コネクタプレート４１は、側壁部４１ａの一方側部に間隔をおいて形成された複数の貫通孔５６と、取付部４１ｅに上下方向に間隔をおいて形成された複数の貫通孔５８とにより、ネジ等の締結部材を用いてラック１１に固定される。コネクタプレート４１は、図４に示すように、ラック１１に幅方向両側に固定されたサイドパネル３０の端部に締結固定されてもよいし、あるいは、ラック１１の後方支柱１８，２２に締結固定されてもよい。
【００４４】
ファンプレート４２は、コネクタプレート４１の他方側縁部に間隔をおいて複数形成された貫通孔６０と、取付部４１ｅに上下方向に間隔をおいて形成された貫通孔６２とにより、ネジ等の締結部材を用いてコネクタプレート４１に取り付けられている。
【００４５】
このようにコネクタプレート４１にファンプレート４２が取り付けられることで、図４に示すように、両パネル４１，４２間にダクト空間４６が形成され、ファン４４がダクト空間４６に対向して設置される。ダクト空間４６の幅方向両側は、コネクタプレート４１の中間壁部４１ｃおよび取付壁部４１ｄによって区画される。また、ダクト空間４６は、電源装置１０の上下方向に延在して形成される。
【００４６】
ダクト空間４６は、コネクタプレート４１において側壁部４１ａからラック１１の内側へ奥まって位置するコネクタ設置壁部４１ｂとファンプレート４２との間に形成される。そのため、ラック１１に収納される各コネクタ５０がコネクタ設置壁部４１ｂから後方に突出していても、ダクト空間４６内に突出するだけであって、電源装置１０の後面、すなわち背面板４０から後方へ突出することはない。また、各コネクタ５０に接続されるケーブル９もまた、ダクト空間４６内で配索することができる。
【００４７】
したがって、電源装置１０によれば、各電池パック２に接続されるコネクタ５０および各電池パック２間を接続するケーブル９を配置するスペースをラック１１内に確保することができる。その結果、電源装置１０の後面からコネクタやケーブルが露出した状態で張り出すことがない。これにより、電源装置１０の長さ方向Ｙの寸法がラック寸法以上に大きくなることがなく、電源装置１０の設置スペースを小さくできる。また、コネクタ５０やケーブル９が電源装置１０の外部に露出しないので、安全性が向上し、外観もすっきりしたものになる。
【００４８】
また、コネクタが設置された背面板全体をラック１１の内側に奥まって配置すればラック１１の外側へのコネクタ５０が突出することはないが、ラック１１内における電池パック２の収納空間が狭くなってしまう。これに対し、本実施形態の電源装置１０では、背面板４０を構成するコネクタプレート４１の一部だけを側壁部４１ａに対して段差を付けたコネクタ設置壁部４１ｂとして形成している。そのため、ラック１１内の電池パック収納空間をできるだけ広く確保することができる。
【００４９】
続いて、図６および図７を参照して、コネクタプレート４１へのコネクタ５０の取付構造と、電池パック２の端子部７とコネクタ５０との接続について説明する。図６（ａ）はコネクタプレート４１に取り付けられたコネクタ５０を前方側から見た拡大斜視図、（ｂ）はコネクタの取付部の拡大正面図、（ｃ）は（ｂ）における矢印Ａ方向から見た側面図である。
【００５０】
上述したようにコネクタ５０は、コネクタプレート４１のコネクタ設置壁部４１ｂに形成された開口部５２内に配置されている。図６（ａ）に示すように、コネクタ５０の幅方向Ｘの両端部には、取付部６４が設けられている。取付部６４には、図６（ｂ）に示すように、Ｕ字状の切込み部６６が形成されている。コネクタ５０は、この切込み部６６を介して挿入されたボルト６８によってコネクタ設置壁部４１ｂに取り付けられている。
【００５１】
図６（ｂ），（ｃ）に示すように、ボルト６８は、頭部６８ａと、この頭部６８ａより小径の円柱部６８ｂと、この円柱部６８ｂより小径のネジ部６８ｃとを有する。コネクタ５０の取付部６４は、ボルト６８の円柱部６８ｂの軸方向長さよりも薄く形成されている。そのため、ネジ部６８ｃがコネクタ設置壁部４１ｂの雌ネジ穴に締め込まれたとき、図６（ｃ）に示すように、取付部６４はボルト６８の頭部６８ａとコネクタ設置壁部４１ｂとによって挟持固定されることはなく、移動可能な状態にある。また、図６（ｂ）に示すように、ボルト６８の円柱部６８ｂの直径は、取付部６４の切込み部６６の上下方向Ｚの幅が小さく設定されると共に、切込み部６６の底部から離れて位置している。そのため、コネクタ５０は、その取付位置が、コネクタ設置壁部４１ｂの面方向に対して上下方向Ｚおよび幅方向Ｘに調整可能に設置されている。本実施形態では、コネクタ５０の上下方向Ｚおよび幅方向Ｘの各位置が例えば２ｍｍ〜数ｍｍ程度、調整可能になっている。これに対し、コネクタ５０の前後方向位置は、コネクタ設置壁部４１ｂおよびボルト６８の頭部６８ａによってほぼ規定されている。
【００５２】
また、コネクタ５０は、図６（ａ）に示すように、幅方向中央部に前方側に突出したコネクタ本体７０を有する。コネクタ本体７０は、電池パック２の切込み部５に設けられた凹部６に挿入される部分である。コネクタ本体７０の端面には、ピン状の端子部７が挿入される複数の雌型端子孔７２が整列して形成されている。また、コネクタ本体７０の幅方向両端には、ガイド部７４がコネクタ本体７０の端面から更に突出して設けられている。ガイド部７４の先端は、略半円錐台状のテーパー形状に形成されている。
【００５３】
電池パック２が前方から挿入されてコネクタ本体７０が電池パック２の凹部６に挿入されるとき、例えば、ラック１１の製造誤差等によってコネクタ本体７０と電池パック２の凹部６とに位置ずれが生じることがある。その場合、本実施形態の電源装置１０では、ガイド部７４の先端テーパー面が凹部６の開口縁部に当接することによって、位置ずれを解消するようにコネクタ５０が移動して位置調整されることになる。
【００５４】
図７（ａ），（ｂ）は電池パック２がラック１１に挿入されて電池パック２の端子部７がコネクタ５０に接続される様子を示す図である。図７（ａ）に示すように、電池パック２がラック１１に収納されるとき、電池パック２がラック１１の前側から挿入される。このとき、電池パック２は、サイドパネル３０の支持部３２（図３参照）上に支持されながら後方に押し込まれる。また、このとき電池パック２の幅方向位置は、サイドプレート３０との間に１ｍｍ〜２ｍｍ程度の隙間を空けた状態でほぼ規制される。
【００５５】
電池パック２が所定の収納位置に近づいたとき、上述したようにコネクタ５０のガイド部７４が電池パック２の凹部６の開口縁部に当接することによって、コネクタ５０の位置が調整される。これにより、電池パック２の凹部６にコネクタ５０のコネクタ本体７０が挿入可能になる。そして、電池パック２が完全に押し込まれた状態になると、図７（ｂ）に示すように、電池パック２のピン状の端子部７がコネクタ本体７０の雌型端子孔７２に挿入され、内部に埋設された雌型端子５１と電気的に接続した状態になる。コネクタ本体７０のガイド部７４の先端が凹部６の奥壁面に当接することで、電池パック２の凹部６に対するコネクタ本体７０の完全挿入位置が決まる。
【００５６】
このように本実施形態の電源装置１０では、ラック１１の前方から電池パック２を挿入して押し込むことで、電池パック２の端子部７をコネクタ５０に容易に且つ確実に接続することができる。このことは、電池パック２の端子部７のコネクタ５０への接続を目視で確認しながら行うことができない場合に、特に有効である。
【００５７】
なお、本実施形態では、電池パック２側の端子部７がピン形状の雄型端子で、コネクタ５０側が雌型端子である場合について説明したが、これに限定されるものではなく、電池パック２側の端子部７が雌型端子で、コネクタ５０側がピン状の雄型端子であってもよい。
【００５８】
図８は、ファン４４の作動によって電源装置１０に冷却空気が流れる様子を示す、図４と同様の平面図である。
【００５９】
本実施形態の電源装置１０においてダクト空間４６は、電池パック２を冷却する空気が通る冷却媒体通路としても機能する。具体的には、図８に矢印で示すように、ラック１１の後面に設置されたファン４４が駆動されると、ラック１１の前面において電池パック２間に開口する隙間３８に空気が吸引される。この隙間３８の幅方向両側はサイドパネル３０によって閉じられているため、空気は隙間３８を通って電池パック２のケース３の表面に接触しながら後方へ流れて、電池パック２を冷却する。そして、空気は、隙間３８から、コネクタ設置壁部４１ｂの開口部５２とコネクタ５０との間の空間５３（図６参照）、および、中間壁部４１ｃの開口部５４を通ってダクト空間４６に流れ、そこからファン４４によって電源装置１０の外部に排気される。
【００６０】
このように本実施形態の電源装置１０によれば、コネクタ５０およびケーブル９の配置空間であるダクト空間４６を冷却媒体通路としても利用でき、ダクト部材などを別途設けることなくラック型電源装置１０の冷却構造を構築できる。
【００６１】
なお、本開示は、上述した実施形態およびその変形例に限定されるものではなく、本願の特許請求の範囲に記載された事項およびその均等な範囲内において種々の変更や改良が可能である。
【符号の説明】
【００６２】
２  電池パック、２ａ  制御回路部、３  ケース、４  電池ブロック、５  切欠き部、６  凹部、７  端子部、９  ケーブル、１０  ラック型電源装置、１１  ラック、１２  底部枠、１３  補強フレーム、１４  天井枠、１６，１８，２０，２２  支柱、２６，２８  取付穴、３０  サイドパネル、３２  支持部、３４  固定部、３８  隙間、４０  背面板、４１  コネクタプレート、４１ａ  側壁部、４１ｂ  コネクタ設置壁部、４１  中間壁部、４１ｄ  取付壁部、４１ｅ，６４  取付部、４２  ファンプレート、４４  ファン、４６  ダクト空間、４８  コントローラ、５０  コネクタ、５１  雌型端子、５２，５４  開口部、５３  空間、５６，５８，６０，６２  貫通孔、６６  切込み部、６８  ボルト、６８ａ  頭部、６８ｂ  円柱部、６８ｃ  ネジ部、７０  コネクタ本体、７２  雌型端子孔、７４  ガイド部、Ｘ  幅方向、Ｙ  長さ方向、Ｚ  上下方向。
【図１】
2018123577.tif 000003
【図２】
2018123577.tif 000004
【図３】
2018123577.tif 000005
【図４】
2018123577.tif 000006
【図５】
2018123577.tif 000007
【図６】
2018123577.tif 000008
【図７】
2018123577.tif 000009
【図８】
2018123577.tif 000010
【国際調査報告】
2018123577.tif 000011
2018123577.tif 000012
2018123577.tif 000013
2018123577.tif 000014